(57)【要約】 【課題】  各種スポーツ又は運動を行う者の姿勢、動作のチェックをより詳細に行うことができる運動動作検証撮影システムを提供する。【解決手段】  上記課題達成のため、請求項１記載の発明にあっては、  運動動作を行う運動者の動作又は姿勢を検証しうる運動動作検証撮影システムであって、運動者を包囲するように配置された複数の動画撮影手段と、上記動画撮影手段により撮影された複数の映像情報を編集し、単一の画面上に時間的に同期させて再生できるように編集する映像編集手段と、上記映像編集手段により編集された映像を複数に分割された映像再生領域において夫々再生しうる再生手段とを備えている。【選択図】  図１
2016054972.tif 000002
【特許請求の範囲】
【請求項１】
運動動作を行う運動者の動作又は姿勢を検証しうる運動動作検証撮影システムであって、上記運動者を包囲するように配置された複数の動画撮影手段と、上記動画撮影手段により撮影された複数の映像情報を編集し、単一の画面上に時間的に同期させて再生できるように編集する映像編集手段と、上記映像編集手段により編集された映像を複数に分割された映像再生領域において夫々再生しうる再生手段とを備えたことを特徴とする運動動作検証撮影システム。
【請求項２】
上記運動動作はゴルフスイングであることを特徴とする請求項１記載の運動動作検証撮影システム。
【請求項３】
上記動画撮影手段は、運動者の前後方向及び左右両方向に各１機ずつ配置されると共に、上記各動画撮影手段により撮影された映像は上記映像編集手段により４つの映像として編集され、４つに分割された映像再生領域において上記４つの映像を再生することを特徴とする請求項１記載の運動動作検証撮影システム。
【発明の詳細な説明】
【技術分野】
【０００１】
本発明は運動動作検証撮影システムの改良に関する。
【背景技術】
【０００２】
一般に、各種のスポーツ、運動等において所定の成果を上げるためには、当該スポーツ又は運動の動作に最適な姿勢を作り、その姿勢に基づいて必要な動作を行うことが重要である。
【０００３】
この場合、運動者個人は、自分の姿勢、動作を客観的には視認することができにくいことから、このようなスポーツや運動の練習効率を上げるため、運動者の姿勢、動作を客観的に把握したい、という要請があった。
【０００４】
このような要請に基づき、従来より、例えば、特許文献１所載の技術が開示されている。即ち、特許文献１には、ゴルフボール打撃時のスイング画像と、該打撃時に計測した測定値データを含む打撃解析データとを関連させたスイング情報として情報処理機器の記憶媒体に保存し、かつ、上記測定値データをもとに算出した立体飛球弾道図と立体背景画像とを合成することにより、打撃時の飛球の３Ｄシミュレーション画像を上記スイング情報と共に記録媒体に保存し、該保存されたスイング情報をユーザーに提示可能としているゴルフスイング記録保存システムが開示されている。
【０００５】
しかしながら、特許文献１に開示された技術によっては、打撃時の測定値及び計算値とスイング画像とを関連させてスイングチェックができるように構成されているが、スイングの姿勢、動作そのものをより詳細にチェックし、修正したい、という要請には応えられなかった。
【０００６】
また、特許文献２には、実質的に同一場所から指導者と被指導者の行うスポーツ、演技又は行為等の動作をビデオ画像に撮像し、記録する撮像記録手段と、上記画像を同一画面上で画像を重ね合わせることなく、モニター・ディスプレイ上に２画面として並置して再生する再生手段とを備えた技術が開示されている。
【０００７】
さらに、特許文献３には、画像フレームを選択するための操作入力手段と、撮影対象を複数の撮影方向から撮影して得られた複数グループの非同期動画像から前記各複数グループ単位の静止画像を得て、少なくとも一の静止画像の動作シーンと画像フレーム送り用の調整ゲージとからなる第１操作画面を表示手段に表示させ、前記第１操作画面に基づいて前記操作入力手段を介して選択された基準動作シーンと当該基準動作シーンに対応する他の静止画像の動作シーンと画像フレーム送り用の調整ゲージとからなる第２操作画面を表示手段に表示させ、前記基準動作シーンと前記第２操作画面で選択された一の静止画像とを同期した静止画像として対応付ける制御手段と、を備えることを特徴とする画像処理装置が開示されている。
【０００８】
しかしながら、特許文献２に開示された技術にあっては、一方向の画像しか見ることができず、また、特許文献３に開示された技術にあっては、静止画像しか見ることができないため、いずれも、運動者の姿勢、動作をより詳細にチェック、検討するにはやはり不十分であった。
【発明の概要】
【発明が解決しようとする課題】
【０００９】
本発明はこのような従来からの不具合を解決するためのものであって、その課題は、各種スポーツ又は運動を行う者の姿勢、動作のチェックをより詳細に行うことができる運動動作検証撮影システムを提供することにある。
【課題を解決するための手段】
【００１０】
上記課題達成のため、請求項１記載の発明にあっては、  運動動作を行う運動者の動作又は姿勢を検証しうる運動動作検証撮影システムであって、運動者を包囲するように配置された複数の動画撮影手段と、上記動画撮影手段により撮影された複数の映像情報を編集し、単一の画面上に時間的に同期させて再生できるように編集する映像編集手段と、上記映像編集手段により編集された映像を複数に分割された映像再生領域において夫々再生しうる再生手段とを備えたことを特徴とする。
【００１１】
従って、請求項１記載の発明にあっては、所定の運動動作を異なる角度から複数の動画撮影手段により撮影した複数の映像を、再生手段の単一の画面上において複数に分割された映像再生領域において夫々の画像を確認することができる。
【００１２】
請求項２記載の発明にあっては、上記練習動作はゴルフスイングであることを特徴とする。従って、ゴルフプレーヤーは、自分のスイングの姿勢、動作を複数の角度から撮影した複数の画像を同一の画面で一挙に確認することができる。
【００１３】
請求項３記載の発明にあっては、上記動画撮影手段は、運動者の前後方向及び左右両方向に各１機ずつ配置されると共に、上記各動画撮影手段により撮影された映像は上記映像編集手段により４つの映像として編集され、４つに分割された映像再生領域において上記４つの映像を再生することを特徴とする。  
【００１４】
従って、請求項３記載の発明にあっては、運動者は４つの角度から撮影した画像を同一の画面上において分割された映像領域において夫々別箇に確認することができる。
【発明の効果】
【００１５】
請求項１記載の発明にあっては、所定の運動動作を異なる角度から複数の動画撮影手段により撮影した複数の映像を、再生手段の単一の画面上において複数に分割された映像再生領域において夫々の画像を確認することができることから、運動者は複数の視点から自分又は他人の運動フォーム、姿勢等を、通常は見ることが出来ない角度から、詳細にチェックし検討することができるため、自分の運動フォームや姿勢を迅速、かつ効果的に修正し、運動効率を改善することが可能となる。
【００１６】
請求項２記載の発明にあっては、ゴルフプレーヤーは、自分のスイングの姿勢、動作を複数の角度から撮影した複数の画像を同一の画面で一挙に確認することができ、高さ方向における手の位置、運動時における頭の角度、動作時における脇の空け具合等のチェックを迅速かつ明瞭に行うことができるため、自己のゴルフイングの改造を効果的に行うことが出来る。
また、他人のゴルフスイングに関する映像を撮影した場合には、他人のゴルフスイングの評価を明確に行うことができ、自分のスイングの改良の参考にすることができる。
【００１７】
請求項３記載の発明にあっては、運動者は４つの角度から撮影した画像を同一の画面上において分割された映像領域において夫々別箇に確認することができることから、効果的に運動姿勢の確認、修正を行うことができる。
【図面の簡単な説明】
【００１８】
【図１】本発明に係る運動動作検証撮影システムの一実施の形態を示し、運動動作検証撮影システムの基本構成図を示す概念図である。
【図２】本発明に係る運動動作検証撮影システムの一実施の形態を示し、ディスプレイ上において４つに分割された画面内に、ゴルフプレーヤーを、前方、後方、左右両方向から撮影した画像が再生されている場合を示す図である。
【発明を実施するための最良の形態】
【００１９】
以下、添付図面に示す実施の形態に基づき、本発明をゴルフプレーヤーのゴルフスイングを検証する場合を例に詳細に説明する。
図１に示すように、本実施の形態に係る運動動作検証撮影システム１０は、ゴルフスイングを行うゴルフプレーヤーＰを包囲するように配置された複数の動画撮影手段１１と、上記ビデオカメラ１１からなる動画撮影手段により撮影された複数の映像情報を編集し、単一の画面上に時間的に同期させて再生できるように編集する映像編集手段１２と、上記映像編集手段により編集された映像を複数に分割された映像再生領域において夫々再生しうるディスプレイ１３からなる再生手段とを備えている。
【００２０】
図１に示すように、本実施の形態にあっては、ゴルフスイングを行うゴルフプレーヤーＰの前方、後方、左右両方向に夫々、動画を撮影しうるビデオカメラ１１が設置され、これら４機のビデオカメラ１１は、時間的に同時に作動するように制御されている。
【００２１】
４機のビデオカメラ１１により撮影された映像は、映像編集手段１２により画像処理され、ディスプレイ１３上において４つの同時進行する映像として再生されうるように画像編集される。その結果、図２に示すように、ディスプレイ１３上においては、４つに分割された映像再生領域１４において、プレーヤーＰの前方、後方及び左右両方向から撮影した４つの映像１５を再生するように構成されている。
【００２２】
従って、ゴルフプレーヤーＰは、例えば、ゴルフコースにおいてプレーする場合に本実施の形態に係る運動動作検証撮影システム１０を使用した場合においては、コース上プレーした際の自分自身のスイングを４方向から同時に動画により撮影し、プレー終了後、クラブハウス等において、ゆっくりと自分のスイングをチェックし、手の高さ方向における位置、スイング中における頭の位置、スイング時における脇の空け具合等の微細な点に関し、４つの視点を利用して、通常では認識できない部位に至るまで詳細に確認することができる。
【００２３】
その結果、本実施の形態に係るシステムを使用した場合には、迅速かつ明確に自分自身のスイングの欠点、改良点をプレー後に認識、確認することができ、修正点を明確にして次回のプレーへ活かすことができる。
従って、本実施の形態に係るシステムを活用することにより、次第に、余裕を持ってかつ容易に自分自身のスイングフォームを完成されたものへと近づけることが可能となる。
【００２４】
本実施の形態にあっては、運動としてゴルフを例に説明したが、ゴルフに限られず、運動するためのフォームのチェックに広く適用でき、例えば、野球のバットのスイング、テニスや卓球等のラケットのスイング、バスケットボール、バレーボール、サッカー、ラグビー等、運動プレーヤーを包囲するように撮影カメラを設置しうる場合には全て適用することができる。
【００２５】
さらに、空手、ボクシング、各種武術等、フォーム、姿勢が重視される格闘技等においても非常に有効に利用することができ、フォームや姿勢からくる技の改善を効果的に行うことができる。
【産業上の利用可能性】
【００２６】
本発明は運動動作検証撮影システムに関し、各種のスポーツ、運動等のフォームの修正に広く適用うることができるため、産業上の利用可能性を有している。
【符号の説明】
【００２７】
１０  運動動作検証撮影システム
１１  ビデオカメラ（動画撮影手段）
１２  映像編集手段
１３  ディスプレイ
１４  映像再生領域
１５  映像
Ｐ    プレーヤー
【図１】
2016054972.tif 000003
【図２】
2016054972.tif 000004